(57)【要約】  光が照射されることで発電する光発電部と、光発電部の発電により得られた電力を用いて画像を表示する表示部と、表示部が設けられる本体部と、を備え、本体部の鉛直上方に、光発電部が設けられる画像表示装置とする。
2012073619.tif 000002
【特許請求の範囲】
【請求項１】
光が照射されることで発電する光発電部と、
光発電部の発電により得られた電力を用いて画像を表示する表示部と、
表示部が設けられる本体部と、を備え、
本体部の鉛直上方に、光発電部が設けられることを特徴とする画像表示装置。
【請求項２】
本体部の上面に設けられ、略平板状の光発電部を水平面に対して傾斜した状態で支持する支持部をさらに備えることを特徴とする請求項１に記載の画像表示装置。
【請求項３】
本体部の上面に設けられ、略平板状の光発電部を水平面に対して所定の角度で支持する支持部をさらに備え、
光発電部の水平面に対する角度が、画像表示装置の設置を予定する地域の緯度に応じた角度であることを特徴とする請求項１に記載の画像表示装置。
【請求項４】
本体部の鉛直方向の射影面積が、光発電部の鉛直方向の射影面積よりも小さいことを特徴とする請求項１に記載の画像表示装置。
【請求項５】
光発電部の鉛直方向の射影内に、本体部の鉛直方向の射影が包含されることを特徴とする請求項４に記載の画像表示装置。
【請求項６】
光発電部の発電により得られた電力を充電し、放電により画像表示装置に電力を供給する蓄電部をさらに備え、
蓄電部は、表示部の鉛直下方に設けられることを特徴とする請求項１に記載の画像表示装置。
【請求項７】
光が照射されることで発電する光発電部と、
光発電部の発電により得られた電力を用いて画像を表示する表示部と、
表示部が設けられる本体部と、
を備え、
本体部の鉛直上方に設けられる光発電部が、複数の回転状態を取り得ることを特徴とする画像表示装置。
【請求項８】
略平板状の光発電部を水平面に対して傾斜した状態で支持する支持部をさらに備え、
本体部の上面及び支持部の下面が、取付具によって固定され、
本体部の上面及び支持部の下面の少なくとも一方の、取付具を取付可能な位置が、回転対称の位置であることを特徴とする請求項７に記載の画像表示装置。
【請求項９】
略平板状の光発電部を水平面に対して傾斜した状態で支持する支持部をさらに備え、
本体部の上面で、支持部が回転自在に支持されることを特徴とする請求項７に記載の画像表示装置。
【請求項１０】
支持部が、棒状の材料を組み合わせた構造を有することを特徴とする請求項８に記載の画像表示装置。
【請求項１１】
支持部が、棒状の材料を組み合わせた構造を有することを特徴とする請求項９に記載の画像表示装置。
【請求項１２】
支持部が、平板状の材料を組み合わせて光発電部と多面体を成す構造を有することを特徴とする請求項８に記載の画像表示装置。
【請求項１３】
支持部が、平板状の材料を組み合わせて光発電部と多面体を成す構造を有することを特徴とする請求項９に記載の画像表示装置。
【請求項１４】
本体部の上面に、複数の支持部及び光発電部が設けられることを特徴とする請求項７に記載の画像表示装置。
【発明の詳細な説明】
【技術分野】
【０００１】
本発明は、画像を表示する画像表示装置に関する。
【背景技術】
【０００２】
近年、デジタルサイネージの用途で、ＬＣＤディスプレイ等の画像表示装置が用いられている。これに関連し、例えば、特許文献１では、屋外設置に対応すべく、水や埃の進入を防ぐ密閉構造や温度の上昇を抑制する冷却構造を備える画像表示装置が開示されている。【０００３】
また、特許文献２では、太陽電池の発電により得られた電力により駆動する画像表示装置が開示されている。特許文献２の図１では、画像表示装置を設置する台の側面に設けられた太陽電池、この太陽電池に効率よく光を入射させるための採光装置が開示されている。
【先行技術文献】
【特許文献】
【０００４】
【特許文献１】特開２００９−２９４２８４号公報
【特許文献２】特開２００５−３２１７３８号公報
【発明の概要】
【発明が解決しようとする課題】
【０００５】
しかしながら、特許文献２の画像表示装置では、採光装置を別途設置する必要がある。また、大型の表示装置に電力を供給すべく、太陽電池は大型になる場合、設置面積が大きくなるという問題もある。また、採光装置及び太陽電池は、太陽に対して特定の位置関係となるように設置する必要があり、設置の自由度が小さい。
【課題を解決するための手段】
【０００６】
本発明の或る態様に係る画像表示装置は、
光が照射されることで発電する光発電部と、
光発電部の発電により得られた電力を用いて画像を表示する表示部と、
表示部が設けられる本体部と、を備え、
本体部の鉛直上方に、光発電部が設けられることを特徴とする。【０００７】
本発明の他の態様に係る画像表示装置は、
光が照射されることで発電する光発電部と、
光発電部の発電により得られた電力を用いて画像を表示する表示部と、
表示部が設けられる本体部と、
を備え、
本体部の鉛直上方に設けられる光発電部が、複数の回転状態を取り得ることを特徴とする。
【図面の簡単な説明】
【０００８】
【図１】は、画像表示装置１の前方斜視図である。
【図２】は、画像表示装置１の後方斜視図である。
【図３】は、画像表示装置１の側面図である。
【図４】は、画像表示装置１００の前方斜視図である。
【図５】は、画像表示装置１００の後方斜視図である。
【図６】は、画像表示装置１００の側面図である。
【図７】は、画像表示装置１００に備えられる支持部１３０の平板部材１３１を示す平面図である。
【図８】は、画像表示装置１００における光発電部の他の取付例を示す後方斜視図である。
【図９】は、画像表示装置２００の前方斜視図である。
【図１０】は、画像表示装置２００の後方斜視図である。
【図１１】は、画像表示装置２００の側面図である。
【図１２】は、画像表示装置２００における光発電部の他の取付例を示す後方斜視図である。
【図１３】は、画像表示装置３００の後方斜視図である。
【図１４】は、画像表示装置３００における光発電部の他の取付例を示す後方斜視図である。
【図１５】は、画像表示装置４００の後方斜視図である。
【図１６】は、画像表示装置４００の側面図である。
【図１７】は、画像表示装置４００における光発電部の他の取付例を示す後方斜視図である。
【発明を実施するための形態】
【０００９】
以下、本発明の各実施形態について、図面を参照して説明する。
【００１０】
＜第１実施形態＞
最初に、本発明の第１実施形態に係る画像表示装置１について、図面を参照して説明する。図１は、画像表示装置１の前方斜視図であり、図２は画像表示装置１の後方斜視図である。また、図３は、画像表示装置１の側面図である。
【００１１】
図１〜図３に示すように、画像表示装置１は、光発電部１０と、直方体状の本体部２０と、本体部２０の上面に配置されて光発電部１０を支持する支持部３０と、本体部２０の下面の四隅に設けられて画像表示装置１を支持する脚部４０と、を備える。
【００１２】
光発電部１０は、照射される光のエネルギーを電力に変換する４つの光発電パネル１１と、これらの光発電パネル１１を配置するための平板状の設置台１３と、設置台１３上に設けられ、各光発電パネル１１を固定するための固定部１２を備える。
【００１３】
固定部１２は、設置台１３に対し、ボルト及びナット等によって固定され、光発電パネル１１は、この固定部１２により、端部が設置台１３に押圧されることで、固定される。
【００１４】
本体部２０は、画像を表示する表示部２１と、本体部２０の前面に設けられ表示部２１を視認可能にするための窓部２２と、光発電部１０から供給される電力を充電するとともに、表示部２１等に電力を供給するための蓄電池２３と、蓄電池２３への充電制御等を行う制御装置２４と、を備える。また、図示していないが、本体部２０内部を冷却するファン等を備えても良い。
【００１５】
表示部２１は、例えばＬＣＤパネルなどから成り、光発電部１０で得られた電力により駆動する。窓部２２は、例えばガラス等、透明な部材から成り、ＬＣＤパネルを外部からの衝撃、あるいは水、埃等から保護する目的で設けられる。また、表示部２１の前面側にはタッチパネルを備えても良い。
【００１６】
蓄電部２３は、光発電部１０で得られた電力を充電する。例えば、発電された電力のうち、画像表示装置１で消費されなかった電力を充電する。反対に、蓄電池２３は、夜間や曇天時など、光発電部１０が発電しないときは、必要に応じて放電を行い、画像表示装置１に電力を供給する。
【００１７】
支持部３０は、本体部２０の上面２０ｕに配置され、光発電部１０を支持する。また、太陽光の入射角度を考慮して、支持部３０は、光発電部１０の表面が本体部２０の上面２０ｕに対して所定角度となるように形成される。
【００１８】
図２等を参照して、支持部３０は、それぞれ棒状部材である第１部材３１、第２部材３２、第３部材３３、第４部材３４を備え、このような支持部３０が４組、本体部２０の上部に設けられる。第１部材３１は、本体部２０の上面２０ｕに固定される。第２部材３２は、光発電部１０の設置台１３の裏面に固定される。第３部材３３は、第１部材３１と第２部材３２の下端側を接続する。第４部材３４は、第１部材３１と第２部材３２の上端側を接続する。第１部材３１、第２部材３２、第３部材３３及び第４部材３４のそれぞれは、棒状である。
【００１９】
また、一つの組を成す第１部材３１、第２部材３２、第３部材３３及び第４部材３４は、略同一の面（本体部２０の上面に対し鉛直な面）内に含まれる。  
【００２０】
以上のように、画像表示装置１では、表示装置を駆動するために大型となった光発電部１０を本体部２０の上方に配置するので、画像表示装置１の設置面積を小さくでき、設置の自由度を向上させることができる。
【００２１】
また、蓄電池２３や制御装置２４は、表示部２１の下方に設けられる。これにより、表示部２１が人の目の位置に配置され、視認がしやすい。同時に、表示部２１の鉛直下方の空いた空間に蓄電部２３や制御装置２４を配置できる。なお、上記画像表示装置１に代えて、脚部４０を備えず、本体部２０が地面に設置される構成でも良い。また、光発電パネル１１の配置、固定方法は一例に過ぎず、他の方法によるものでも良い。また、上記例では４組の支持部３０を用いた例を示しているが、組の数は４に限られない。
【００２２】
＜第２実施形態＞
次に、本発明の第２実施形態に係る画像表示装置１００について、図面を参照して説明する。図４は前方斜視図、図５は後方斜視図、図６は側面図である。
【００２３】
本実施形態の画像表示装置１００は、第１実施形態の画像表示装置と比較して、支持部１３０の構造が異なる。
【００２４】
支持部１３０は、１つの平板部材１３１と、４つの棒状部材１３２と、４つの柱部材１３３を備える。平板部材１３１は、本体部２０の上面２０ｕに固定される平板状の部材である。各棒状部材１３２は、光発電部１０の設置台１３の裏面上に光発電部１０と相似する四角形の一辺をなすような態様でそれぞれが固定される。各柱部材１３３は、平板部材１３１の四隅近辺と上述の四角形の角をそれぞれ接続する。ここで、柱部材１３３は、平板部材１３１の四隅と棒状部材１３２の四隅の距離が最短になる組み合わせとなるよう接続される。
【００２５】
図７は、支持部１３０の下面部を示す平面図である。
【００２６】
平板部材１３１の中心には、ガイド孔１３１ａが設けられる。また、１６個の取付孔１３１ｂのそれぞれが、ガイド孔１３１ａを中心とし、同心円状に設けられる。
【００２７】
本体部２０の上面２０ｕには、ねじ穴ｃが設けられており、このねじ穴ｃ及びガイド孔１３１ａにねじを貫通させることで、上面２０ｕ上での支持部１３０位置を固定することができる。
【００２８】
また、上面２０ｕには、ねじ穴ｃの周辺に１６個のねじ穴ｐが同心円状に設けられている。従って、該ガイド孔１３１ａの位置を中心に支持部１３０を回転させ、１６個の取付孔１３１ｂのそれぞれと１６個のねじ穴ｐのそれぞれに対してねじを貫通させることにより、支持部１３０の設置方角を決定することができる。これにより、表示装置１本体の方角を変えることなく、光発電部１０のみの方角を変更することができる。例えば、平板部材１３１の向きを９０°変更させることで、図８に示すような向きに光発電部１０を設置できる。
【００２９】
なお、平板部材１３１におけるガイド孔１３１ａ及び取付孔１３１ｂの配置は、図７に示す以外のものでも良い。
【００３０】
＜第３実施形態＞
次に、第３実施形態の画像表示装置２００について、図面を参照して説明する。図９は前方斜視図、図１０は後方斜視図、図１１は側面図である。
【００３１】
画像表示装置２００は、上述した第１実施形態の画像表示装置１と比較して、支持部２３０の構造が異なる。以下では、支持部２３０に絞って説明する。
【００３２】
図９〜図１１で示すように、支持部２３０は、下面２３１、１つの背面２３２、及び２つの側面２３３を備える。  
【００３３】
下面２３１は、４辺からなる長方形状であり、本体部２０の上面２０ｕに固定される。また、４辺のうちの一辺の全体が光発電部１０の裏面と接している。背面２３２もまた４辺からなる長方形状であり、上辺の全体が光発電部１０の裏面と接し、下辺の全体が下面２３１と接する。二つの側面部２３３のそれぞれは、光発電部１０の裏面、下面２３１及び背面２３２によって囲まれた三角形状である。
【００３４】
また、支持部２３０（下面部２３１、背面部２３２及び側面部２３３）及び光発電部１０は、全体で五面体を成す。
【００３５】
また、第２実施形態（図７）と同様、１つのガイド孔と、これを中心とし同心円状に設けられた複数の取付孔を下面部２３１に設けることで、本体部２０の上面に固定でき、かつ下面部２３１の取付方角を変えることができる。但し、本実施形態では構造上、画像表示装置１００のように上側からねじ止めをすることはできないので、本体２０の内側から、上面２０ｕのねじ穴、及びガイド孔等にねじを貫通させることで固定できる。あるいは、上面２０ｕにねじ穴を設ける代わりに、上面２０ｕに突起物を設けておき、この突起物にガイド孔等を挿入することで固定しても良い。
【００３６】
そして、例えば画像表示装置２００においても、図１２の後方斜視図で示すように、光発電部１０の方角を、図９等の例に対し９０°変更させた状態で、本体部２０の上面に固定できる。
【００３７】
また、画像表示装置２００は、支持部２３０が、平板状の材料を組み合わせて光発電部１０と多面体を成す構造を有する。そのため、風切り音や風圧などの風（空気の流れ）の影響を、空気の整流により低減することができる。
【００３８】
＜第４実施形態＞
次に、第４実施形態の画像表示装置３００について、図面を参照して説明する。図１３画像表示装置３００の後方斜視図である。
【００３９】
図１３を参照して、画像表示装置３００は、光発電部３１０ａ及びこれを支持する支持部３３０ａと、光発電部３１０ｂ及びこれを支持する支持部３３０ｂと、を備える。支持部３３０ａ，３３０ｂは、本体部２０の上面２０ｕ上にそれぞれ配置される。即ち、第２実施形態の画像表示装置１００と比較し、光発電部、及び支持部が複数個ある点で相違している。
【００４０】
光発電部３１０ａは、２つの光発電パネル３１１ａと、これらの光発電パネルを配置するための設置台３１３ａと、設置台３１３ａ上に設けられ、各光発電パネルを固定するための固定部３１２ａを備える。同様に光発電部３１０ｂも、２つの光発電パネル３１１ｂと、設置台３１３ｂと、固定部３１２ｂを備える。また、支持部３３０ａは第２実施形態の支持部１３０と同様、１つの平板部材３３１ａと、４つの棒状部材３３２ａと、４つの柱部材３３３ａを備える。同様に支持部３３０ｂも１つの平板部材３３１ｂと、４つの棒状部材３３２ｂと、４つの柱部材３３３ｂを備える。
【００４１】
各平板部材３３１ａ，３３１ｂには、図７で示したのと同様、ガイド孔や取付孔が設けられている。これにより、光発電部３１０ａ、３１０ｂの方角を変えることができる。
【００４２】
例えば、図１４に示すように、各光発電部の方角を９０°変更した状態で固定できる。また、第２実施形態の例では４つの光発電パネルが一体化されており、光発電部の向きをそのまま変えると光発電部が画像表示装置の本体に対し出っ張る態様となる。一方、本実施形態では、光発電部を２つに分けているので、光発電部の向きを変えても画像表示装置の本体に対し出っ張ることがないので、結果として省スペース化を図ることができる。
【００４３】
また、第３実施形態の画像表示装置２００の光発電部、支持部を２つに分けて、本実施形態と同様の構成としても良い。
【００４４】
＜第５実施形態＞
次に、第５実施形態の画像表示装置４００について、図面を参照して説明する。図１５は、画像表示装置４００の背面斜視図であり、図１６は、その側面図である。
【００４５】
図１５を参照して、画像表示装置４００は、光発電部１０と、本体部４２０と、支持部４３０を備える。本体部４２０は、表示部４２１と、窓部４２２と、蓄電池４２３と、制御装置４２４と、柱部４２５を備える。本実施形態では、柱部４２５を備える点で、第３実施形態の画像表示装置２００と相違する。
【００４６】
柱部４２５は、断面が略半円の柱状の部材である。柱部４２５は、本体部４２０の背面側に配置される。また、図１６も参照して、柱部４２５の上面は、本体部４２０の上面とほぼ同じ高さの位置に配置される。また、柱部４２５の下面は、本体部４２０の下面とほぼ同じ高さの位置に配置される。なお、画像表示装置４００の設置の安定性を確保するべく、柱部４２５の下側は地中に埋める態様でも良い。
【００４７】
再び図１５を参照して、光発電部を支持する支持部４３０は、柱部４３１と、側面部４３２、底部４３３を備える。柱部４３１は六面体の柱部材であり、上面、下面、前面（これらの３面は図１５においては隠れた位置にあり不図示）、及び背面は長方形状であり、２つの側面は台形状である。また、背面は前面より大きい。即ち、柱部４３１はその上面が下面に対し傾斜した態様となっている。また、柱部４３１の下面は本体部４２０の上面に乗るような態様で配置される。また、柱部４３１の上面の上には底部４３３が乗るような態様で配置される。これにより、光発電部を地面から傾斜した角度で指示することができる。
【００４８】
また、側面部４３２は、４つの面に分かれており、これらの４つの面と、底部４３３及び光発電部の裏面により四角錐が形成される。
【００４９】
更に、第２実施形態の図７で示すようなガイド孔、及び同心円状の取付孔などを柱部４３１の下面に設け、更に柱部４２５の上面にこれらに対応するねじ穴を設けることにより、柱部４３１は、本体部４２０の上面に固定されると共に、その向きを変更することができる（図１７）。
【００５０】
なお、支持部４３０を、動的に回転させても構わない。例えば、光発電部１０の表面が可能な限り太陽の方向を向くように、支持部４３０を回転させても構わない。
【００５１】
＜変形例＞
【００５２】
また、画像表示装置の形状は直方体に限られるものではなく、他の形状でも良い。
【００５３】
以上、本発明における実施形態について説明したが、本発明の範囲はこれに限定されるものではなく、発明の主旨を逸脱しない範囲で種々の変更を加えることができる。
【図１】
2012073619.tif 000003
【図２】
2012073619.tif 000004
【図３】
2012073619.tif 000005
【図４】
2012073619.tif 000006
【図５】
2012073619.tif 000007
【図６】
2012073619.tif 000008
【図７】
2012073619.tif 000009
【図８】
2012073619.tif 000010
【図９】
2012073619.tif 000011
【図１０】
2012073619.tif 000012
【図１１】
2012073619.tif 000013
【図１２】
2012073619.tif 000014
【図１３】
2012073619.tif 000015
【図１４】
2012073619.tif 000016
【図１５】
2012073619.tif 000017
【図１６】
2012073619.tif 000018
【図１７】
2012073619.tif 000019
【国際調査報告】
2012073619.tif 000020
2012073619.tif 000021
2012073619.tif 000022
2012073619.tif 000023
2012073619.tif 000024